(57)【要約】【課題】メンテナンス作業などの作業容易性および安全性を確保できるとともに、アンテナ装置の耐環境性を保持できるアンテナレドームを実現すること。【解決手段】支柱１の長手方向に沿って３列に配置されるとともに支柱１の軸中心から半径方向に延びるように取り付けられた昇降用のステップボルト２と、ステップボルト２の各列にそれぞれ固定された支持部材３と、支持部材３にそれぞれ独立して直接支持されたカバー部材とを備え、カバー部材４は、隣接する支持部材４間を覆うとともに、ステップボルト２の各列間に画成されるアンテナ装置の収容空間の全面を覆うようにしている。【選択図】      図１
2004172895.tif 000002
【特許請求の範囲】
【請求項１】
柱状体の長手方向に沿って３列に配置され、前記柱状体の軸中心から半径方向に延び、各列間に該柱状体に設置されるアンテナ装置を収容する空間を画成する昇降用のステップボルト群と、
前記ステップボルト群の各列毎に固定された複数の支持部材と、
隣接する前記支持部材間を覆う複数のカバー部材と、
を備えたことを特徴とするアンテナレドーム。
【請求項２】
前記カバー部材は、前記柱状体を中心とし、断面が５以上の角数の多角形をなして、隣接する前記支持部材間を覆うことを特徴とする請求項１に記載のアンテナレドーム。
【請求項３】
前記カバー部材は、前記柱状体を中心とし、断面が円形をなして、隣接する前記支持部材間を覆い、
前記カバー部材の外部表面は、半球状あるいは断面形状が半円である帯状のくぼみ、もしくは突起を有し、
前記くぼみ、もしくは突起は、前記外部表面に沿って直線上あるいは螺旋状に配置されることを特徴とする請求項１に記載のアンテナレドーム。
【請求項４】
前記半球状あるいは断面形状が半円である帯状のくぼみ、もしくは突起の半径は、０．５〜１０ｍｍの範囲であることを特徴とする請求項３に記載のアンテナレドーム。
【請求項５】
前記カバー部材の上端部および下端部は、テーパ面の一部を形成し、
前記支持部材の上端部および下端部は、テーパ面を形成するように傾斜していることを特徴とする請求項１〜４のいずれか一つに記載のアンテナレドーム。
【請求項６】
前記カバー部材は、開閉機構を備えたことを特徴とする請求項１〜５のいずれか一つに記載のアンテナレドーム。
【請求項７】
前記ステップボルト群の各列間の隣接角度は、９０〜１８０度の範囲であることを特徴とする請求項１〜６のいずれか一つに記載のアンテナレドーム。
【請求項８】
前記カバー部材の外部表面に、撥水性塗料が塗布されていることを特徴とする請求項１〜７のいずれか一つに記載のアンテナレドーム。
【請求項９】
請求項１〜８のいずれか一つに記載のアンテナレドームによって覆われたことを特徴とするアンテナ装置。
【請求項１０】
地上に固定された前記柱状体を少なくとも有し、前記アンテナレドームによって覆われた請求項９に記載のアンテナ装置を備えたことを特徴とするアンテナ設置用塔状構造物。
【発明の詳細な説明】
【０００１】
【発明の属する技術分野】
この発明は、放送塔などに設置されるアンテナ装置をカバーする防雪などの機能を有するアンテナレドーム、これを用いたアンテナ装置およびアンテナ設置用塔状構造物に関するものである。
【０００２】
【従来の技術】
従来から、風、雨、雪などにさらされるアンテナ設置用塔状構造物では、誘電体のレドームでアンテナの外部を覆い、これによって、アンテナ特性が劣化あるいは変化しないようにしていた。
【０００３】
図１３は、従来のアンテナ設置用塔状構造物に設置されるアンテナ装置の設置状態を示す図である。図１３は、水平方向の断面図であり、鉛直上部からみた図である。図１３において、双ループアンテナであるアンテナエレメント１０６は、反射板１０５上に設置される。円柱状の支柱１０１の四方には、９０度毎に、昇降用のステップボルト１０２が配置されている。反射板１０５は、円柱状の支柱１０１に固定される。この反射板１０５が固定された状態で、アンテナエレメント１０６を覆うように、レドーム１０４が被せられ、反射板１０５上に固定される。
【０００４】
また、特許文献１には、互いを接合するフランジを有したカバー部材を複数用いて、断面形状が、略円形あるいは多角形の筒型構造を形成し、アンテナを覆い、風圧荷重を低減するアンテナカバーが記載されている。
【０００５】
【特許文献１】
実開昭６０−０９０９０２号公報  （第１−２頁、第１−２図）
【０００６】
【発明が解決しようとする課題】
しかしながら、従来のアンテナ装置のレドーム１０４は、アンテナエレメント１０６の外観形状および反射板１０５との位置関係によって決定されたかまぼこ形状となり、このかまぼこ形状が、支柱１０１の四方に張り出す形状となるとともに、反射板１０５の外縁部が剥き出しとなるため、メンテナンス作業時に、この張り出し部分あるいは剥き出し部分に作業者が引っかかり、メンテナンス作業に困難性がともない、さらには危険であるという問題点があった。
【０００７】
一方、上述したレドーム１０４および反射板１０５の形状に加え、隣接する反射板１０５間あるいは反射板１０５と支柱１０１との間にそれぞれ隙間が存在するため、投影面積に比較して大きな風荷重を受け、また積雪時の着雪量も多いという問題点があった。特に、レドーム１０４が設置されていない場合における風荷重および着雪量は、無視できないほど大きい。
【０００８】
なお、上述したレドーム１０４を設けない場合、アンテナエレメント１０６が剥き出しになるが、この場合、メンテナンス作業者の金属部分とアンテナエレメント１０６などが接触する可能性があり、短絡が発生するなど、その危険度はさらに大きくなる。また、レドーム１０４による耐環境保護を受けることができないため、アンテナエレメント１０６などのアンテナ装置自体に十分な耐環境性および機械的強度を持たせる必要がある。
【０００９】
また、アンテナエレメント１０６および反射板１０５は、必ずしも支柱１０１の四方に９０度間隔で均等に配置されているとは限らず、２面のみ、あるいは３面のみに配置され、さらに、その配置面角度も様々な場合が多い。そのため、アンテナ装置に対する風荷重あるいは着雪によってアンテナ設置用塔状構造物にかかる負荷が不均一に分布し、あるいは一定箇所へ集中する場合が多く、該塔状構造物を構成する部品の機械的強度が劣化し、この部品の疲労破壊あるいは応力腐食割れ等が発生し、さらに、長期的には該塔状構造物の傾斜を引き起こすという問題点があった。
【００１０】
さらに、レドーム１０４の形状は、アンテナエレメント１０６の形状とその設置面角度にほとんど依存されるので、アンテナエレメント１０６を含むアンテナ装置の交換作業が生じた場合、あるいは支柱１０１に対するアンテナエレメント１０６の設置面角度が各局によって様々である場合、レドーム１０４自体もその形状および設置面角度に合わせて個別に設計し、製造しなければならず、アンテナ装置に対する汎用性に欠けるものであった。
【００１１】
一方、上述した特許文献１に記載されたアンテナカバーでは、隣接するカバー部材のフランジを合わせ、ボルトとナットとで締め付けて接合して一つの大きなアンテナカバーを形成するようにしているため、全体構造におけるこのフランジ部分が大きな突起を形成し、この突起が風を受けることによって風圧荷重を十分に低減することができないという問題点があった。
【００１２】
また、この突起あるいはボルトの先端は、メンテナンス作業のための昇降時に、衣類や工具が引っかかり、危険性が高くなるとともに、カバー部材同士の接合によって一つの大きなレドームを形成しているため、一つのカバー部材の取り外しによって隣接する他のカバー部材の固定が弱まり、さらには落下による危険性も増大するという問題点があった。
【００１３】
この発明は、上記従来技術の問題点に鑑みてなされたものであって、メンテナンス作業などの作業容易性および安全性を確保することができるとともに、アンテナ装置の耐環境性を保持できるアンテナレドーム、これを用いたアンテナ装置およびアンテナ設置用塔状構造物を提供することを目的とする。
【００１４】
【課題を解決するための手段】
上記目的を達成するため、請求項１にかかるアンテナレドームは、柱状体の長手方向に沿って３列に配置され、前記柱状体の軸中心から半径方向に延び、各列間に該柱状体に設置されるアンテナ装置を収容する空間を画成する昇降用のステップボルト群と、前記ステップボルト群の各列毎に固定された複数の支持部材と、隣接する前記支持部材間を覆う複数のカバー部材と、を備えたことを特徴とする。
【００１５】
この請求項１の発明によれば、昇降用のステップボルト群が、柱状体の長手方向に沿って３列に配置されるとともに前記柱状体の軸中心から半径方向に延びるように柱状体に取り付けられ、各支持部材が、前記ステップボルト群の各列にそれぞれ固定され、各カバー部材が、前記支持部材にそれぞれ独立して直接支持され、この支持によって、隣接する支持部材間を覆うとともに、該ステップボルト群の各列間に画成されるアンテナ装置の収容空間の全面を覆うようにし、該柱状体に設置されるアンテナ装置を風雨や雪などの環境から保護するレドームとしての機能を持たせるようにし、アンテナエレメント形状、アンテナ取り付け半径、あるいはアンテナ取り付け面角度に関係なく、一種類のレドームでアンテナ装置における耐環境性の保持を対応可能としている。ここで、各カバー部材は独立して支持部材に支持されるため、各カバー部材同士の接合によるカバー集合体構造に比して強度を高くすることができる。また、各カバー部材は隣接するカバー部材を相互に接合するフランジ部を有していないため、大きな突起部分が形成されず、風荷重や風雪量を低減できるとともに、メンテナンス作業時における容易性および安全性を確保することができる。
【００１６】
また、請求項２にかかるアンテナレドームは、上記発明において、前記カバー部材は、前記柱状体を中心とし、断面が５以上の角数の多角形をなして、隣接する前記支持部材間を覆うことを特徴とする。
【００１７】
この請求項２の発明によれば、前記カバー部材は、前記柱状体を中心とし、断面が５以上の角数の多角形をなして、隣接する前記支持部材間を覆うようにし、外部表面に沿った空気の剥離点を最適化し、変動揚力の発生を低減している。
【００１８】
また、請求項３にかかるアンテナレドームは、上記発明において、前記カバー部材は、前記柱状体を中心とし、断面が円形をなして、隣接する前記支持部材間を覆い、前記カバー部材の外部表面は、半球状あるいは断面形状が半円である帯状のくぼみ、もしくは突起を有し、前記くぼみ、もしくは突起は、前記外部表面に沿って直線上あるいは螺旋状に配置されることを特徴とする。
【００１９】
この請求項３の発明によれば、前記カバー部材の外部表面は、半球状あるいは断面形状が半円である帯状のくぼみ、もしくは突起を有し、前記くぼみ、もしくは突起は、前記外部表面に沿って直線上あるいは螺旋状に配置し、外部表面に沿った空気の剥離点を最適化し、変動揚力の発生を低減している。
【００２０】
また、請求項４にかかるアンテナレドームは、上記発明において、前記半球状あるいは断面形状が半円である帯状のくぼみ、もしくは突起の半径は、０．５〜１０ｍｍの範囲であることを特徴とする。
【００２１】
この請求項４の発明によれば、前記半球状あるいは断面形状が半円である帯状のくぼみ、もしくは突起の半径を０．５〜１０ｍｍとすることによって、可能な限り空気の剥離点を最適化し、変動揚力の発生を低減している。
【００２２】
また、請求項５にかかるアンテナレドームは、上記発明において、前記カバー部材の上端部および下端部は、テーパ面の一部を形成し、前記支持部材の上端部および下端部は、テーパ面を形成するように傾斜していることを特徴とする。
【００２３】
この請求項５の発明によれば、前記カバー部材の上端部および下端部にテーパ面の一部を形成し、かつ、前記支持部材の上端部および下端部にテーパ面を形成するような傾斜を設け、前記カバー部材の上端部および下端部、ならびに前記支持部材の上端部および下端部をそれぞれ接合させることによって、隣接する支持部材間を覆うようにし、鉛直上方から受ける風荷重や着雪量を低減するとともに、鉛直下方から受ける吹き上げの風雪による荷重を低減するようにしている。
【００２４】
また、請求項６にかかるアンテナレドームは、上記発明において、前記カバー部材は、開閉機構を備えたことを特徴とする。
【００２５】
この請求項６の発明によれば、前記カバー部材を開閉可能にし、メンテナンス作業時におけるカバー部材の落下を防止するとともに、作業の容易性を高めている。
【００２６】
また、請求項７にかかるアンテナレドームは、上記発明において、前記ステップボルト群の各列間の隣接角度は、９０〜１８０度の範囲であることを特徴とする。
【００２７】
この請求項７の発明によれば、前記ステップボルト群に取り付けられた前記支持部材の隣接角度は、９０〜１８０度の範囲としており、アンテナエレメント形状、アンテナ取り付け半径、あるいはアンテナ取り付け面角度に関係なく、一種類のレドームでアンテナ装置の耐環境性を保持するとともに、カバー部材全体の強度を高めている。
【００２８】
また、請求項８にかかるアンテナレドームは、上記発明において、前記カバー部材の外部表面に、撥水性塗料が塗布されていることを特徴とする。
【００２９】
この請求項８の発明によれば、前記カバー部材の外部表面に撥水性塗料を塗布し、当該アンテナレドームの外部表面に雪や水滴などを付着させないようにしている。
【００３０】
また、請求項９にかかるアンテナ装置は、上記発明において、請求項１〜８のいずれか一つに記載のアンテナレドームによって覆われたことを特徴とする。
【００３１】
この請求項９の発明によれば、請求項１〜８のいずれか一つに記載のアンテナレドームによって覆うようにしているので、上述した請求項１〜８の作用効果を奏する。
【００３２】
また、請求項１０にかかるアンテナ設置用塔状構造物は、地上に固定された前記柱状体を少なくとも有し、前記アンテナレドームによって覆われた請求項９に記載のアンテナ装置を備えたことを特徴とする。
【００３３】
この請求項１０の発明によれば、請求項９に記載のアンテナ装置を備えるようにしているので、上述した請求項１〜９の作用効果を奏する。さらに、アンテナ装置に対する風荷重や着雪によってアンテナ設置用塔状構造物にかかる負荷が、不均一に分布し、あるいは一定箇所へ集中することを防止し、該塔状構造物を構成する部品の機械的強度劣化を抑制しており、疲労破壊あるいは応力腐食割れ等の発生を抑制し、さらに、長期的には該塔状構造物の傾斜を防止している。
【００３４】
【発明の実施の形態】
以下に添付図面を参照して、この発明にかかるアンテナレドーム、これを用いたアンテナ装置およびアンテナ設置用塔状構造物の好適な実施の形態について詳細に説明する。
【００３５】
図１は、この発明の実施の形態であるアンテナレドームを用いたアンテナ装置の構成を示す破断図である。また、図２は、図１に示したアンテナ装置を上部平面から見た破断図である。図１および図２において、このアンテナ装置は、アンテナ設置用塔状構造物の上部に設置され、かつ、円柱状の支柱１の水平方向の三方に配置される。昇降用のステップボルト２は、支柱１の長手方向に３列に配置され、水平方向に取り付けられる。すなわち、ステップボルト２は、支柱１におけるアンテナ装置の設置領域を水平方向に３分割している。
【００３６】
また、ステップボルト２の各列によって３分割された設置領域には、４つのループをもつ４Ｌアンテナであるアンテナ装置が設置される。このアンテナ装置は、反射板５上にアンテナエレメント６を有しており、このアンテナエレメント６からＵＨＦ帯の放送電波が輻射される。
【００３７】
一方、ステップボルト２の各列には、枠状構造の支持部材３がそれぞれ取り付けられる。この支持部材３は、ＦＲＰやＡＢＳ樹脂などで形成されたカバー４を支持する。なお、カバー４は、支柱１を中心とし、断面が多角形の形状をなしてアンテナ装置の外部全面を覆うように支持部材３に固定されている。特に、カバー４の上下端部は、それぞれテーパ面を形成し、支柱１側に集約される形状をなしている。これによって、支柱１の三方に取り付けられたアンテナ装置全体を覆うことができ、雨、風、雪等、特に、上方から吹き降ろす風荷重や着雪、あるいは下方から吹き上げる風荷重から、アンテナの機能を低下させずにアンテナ装置を保護することができる。すなわち、カバー４は、アンテナエレメント６などのアンテナ装置の形状に左右されない汎用性のあるアンテナレドームとしての機能を有する。特に、反射板５も、カバー４内に収納されるので、作業性および安全性についても優れたものとなる。
【００３８】
ここで、カバー４の外観形状について、詳細に説明する。図３は、この実施の形態におけるカバー４を斜め上方から見た外観形状を示す模式図である。図３において、カバー４は、胴体部ｂの上部に上端部ａが接合されるとともに、胴体部ｂの下部に下端部ｃが接合されることによって構成される。また、カバー４の側面両端部には、カバー４と支持部材３とを接合するためのネジ穴が形成されている（図示せず）。なお、この胴体部ｂに対する上端部ａおよび下端部ｃの接合は、溶接等によってなされ、カバー４の外部表面における該接合部は、突起あるいはへこみが生じないように、可能な限り滑らかな形状をなしている。
【００３９】
また、カバー４は、上端部ａおよび下端部ｃにおいて、テーパ面の一部を形成し、支持部材３に取り付け後、支柱１側に集約される形状をなす。さらに、カバー４の支柱１側の端部における支柱１との接合面は、支柱１と隙間なく接合するように、支柱１の表面形状が内部面として形成される。
【００４０】
図４は、支柱１に取り付けられたステップボルト２と支持部材３との結合関係を示す図である。また、図５は、図４に示したステップボルト２と支持部材３との結合関係を上部平面から見た図である。
【００４１】
図４において、支持部材３は、支柱１の長手方向に沿って３列に配置されたステップボルト２の各列にそれぞれ固定され、上下端部は、支柱１側に折り曲げられた構造となっている。なお、支持部材３に開けられた穴であって、ステップボルト２が挿入される以外の部分に開けられた穴は、支持部材３とカバー４とを固定するためのネジ穴である。
【００４２】
また、図５において、ステップボルト２は、支柱１の軸心ＣＬを中心とし、その各列間における角度ｎ１〜ｎ３が、それぞれ９０〜１８０度の範囲になるように配置されている。したがって、ステップボルト２の各列に固定された支持部材３は、隣接する支持部材３間における角度が、それぞれ９０〜１８０度の範囲になるように配置されている。これによって、支柱１におけるアンテナ装置の設置領域は、支柱１の長手方向に３分割されるとともに、軸心ＣＬを中心とし、９０〜１８０度の範囲の角度をなすので、アンテナ装置の取り付け面角度の自由度が増大し、広範囲なアンテナシステムに適用可能なアンテナ装置を収容できる。さらに、カバー４が支持部材３に取り付けられ、隣接する支持部材３間を覆うことによって、アンテナエレメント６などのアンテナ装置の形状あるいはアンテナ装置の取り付け面角度等に左右されず、アンテナ装置の外部全面を覆うことができる。すなわち、支持部材３は、アンテナ装置に対して汎用性のあるアンテナレドームとして機能するカバー４を支持することができる。
【００４３】
なお、このステップボルト２の各列間における角度ｎ１〜ｎ３は、１２０±５度の範囲であることが望ましく、これによって、支柱１における３分割されたアンテナ装置の設置領域を可能な限り均等化し、支持部材３に取り付けられるカバー４の全体の強度を一層高めることができる。
【００４４】
ここで、図６および図７を参照して、ステップボルト２に対するカバー４の取り付けについて説明する。図６（ａ）において、まず固定されたナット１２と螺動するナット１３との間に支持部材取り付け用のピース１１を挿入した状態で、ステップボルト２を支柱１に取り付ける。
【００４５】
その後、図６（ｂ）に示すように、ナット１３をナット１２側に螺動し、ピース１１を螺着する。さらに、図６（ｃ）に示すように、支持部材３をピース１１の位置まで挿入し、ネジ１４で固定する（図６（ｄ）参照）。さらに、図７（ａ）および図７（ｂ）に示すように、カバー４を支持部材３の位置まで挿入し、支持部材３とカバー４との間をネジ１５に対応した位置でネジ止めする（図７（ｃ）参照）。なお、カバー４のネジ１４に対応する箇所には、ネジ１４との干渉を避けるための切り欠きが設けられている。
【００４６】
なお、上述したカバー４は、断面が多角形の形状であったが、断面が円形であってもよいし、ほぼ円形であってもよい。このように断面を多角形あるいは円形の形状とすることによって、風荷重を低減できるとともに着雪量の低減をも図ることができ、アンテナ装置を設置する塔状構造物などにかかる荷重負荷を低減させることができる。さらに、断面が多角形あるいは円形であり、しかも、反射板５などが外部に剥き出しとならないため、メンテナンス作業が容易であるとともに作業時の事故を未然に防止することができる。さらに、反射板５を含めたアンテナ装置自体がカバー４に完全に覆われるため、アンテナ装置との接触がなく、短絡等による危険性も回避することができる。
【００４７】
さらに、各カバー４は、支持部材３を介して隣接配置され、それぞれ支持部材３に独立して接合されるようになっているので、一つのカバー４を外しても、隣接する他のカバー４の接合に全く影響がなく、カバー４全体の形状を確実に維持できるとともに、他のカバー４が落下することもないので、安全性を確保することができる。なお、各カバー４は、支持部材３によって直接接合されているため、各カバー４の集合体としてカバー全体の強度を保持している場合に比してカバー全体の強度を高めることができる。
【００４８】
また、各カバー４は、上述したように、カバー４同士がフランジ等で直接接合されないため、突起部分が少なく、メンテナンス作業時における安全性を確保することができるとともに、この突起部分がないことから、風荷重を低減することができる。
【００４９】
ここで、カバー４の外部表面に沿って空気が流れる場合、変動揚力が発生し、カバー４における空気の下流側に、交互にカルマン渦が発生し、カバー４が振動する。この振動の発生は、カバー４の外部表面に沿った空気の剥離点を最適化することによって低減することができる。図８は、カバー４の形状の違いによる揚力係数の時間変化を示したものである。図８では、カバー４の断面形状を円形にした場合と正２４角形にした場合とを示している。
【００５０】
図８に示すように、正２４角形の方が円形に比して揚力係数が小さく、振動が小さいことがわかる。これは、空気の剥離点が、円形に比して正２４角形の方が最適な位置となっていることを示す。したがって、断面形状が円形の場合に比して正多角形、特に正２４角形にする場合の方が、振動が小さいカバーを実現することができる。この多角形の角数が４すなわち正方形の場合には、風荷重の低減が十分でなくなることから好ましくなく、角数が５以上の正多角形であることが望ましい。特に、図８に示す正２４角形とすることが、一層好ましい。もちろん、カバー４に流入する風速やカバーの外径などの違いによって、角数は適切に設定することが好ましい。すなわち、この角数は、カバー４が設置される環境のデータをもとにして、最適な角数を設定すればよい。
【００５１】
ところで、カバー４の断面形状は、円形よりも、５以上の正多角形が好ましいと述べたが、断面形状が円形あるいは略円形である場合であっても、空気の剥離点を最適化することができる。すなわち、カバー４の外部表面側に、断面形状が半径０．５〜１０ｍｍ程度の半球状のくぼみ（ディンプル）を設けるようにする。このくぼみによって、カバー４の外部表面に沿った空気の剥離点を最適化し、変動揚力の発生を低減し、風荷重および着雪量の低減を図ることができる。もちろん、図９に示すように、正多角形であるカバー４の外部表面側にディンプル２１を設けるようにして、さらに空気の剥離点を最適化し、変動揚力の発生を低減するようにしてもよい。なお、半球のくぼみではなく、突起を設けるようにしてもよい。さらには、これらくぼみ２１、あるいは突起の配置は、上下方向、すなわち縦方向に直線上に配置してもよいし、支柱１のまわりを取り巻くように、螺旋状に配置するようにしてもよい。
【００５２】
さらに、図１０に示すように、断面形状が半径０．５〜１０ｍｍ程度の半円である帯状のくぼみ２２を設けるようにしてもよい。このくぼみ２２によって、上述したくぼみ２１と同様に、カバー４の外部表面に沿った空気の剥離点を最適化し、変動揚力の発生の低減をさらに図ることができる。なお、帯状のくぼみ２２ではなく、帯状の突起を設けるようにしてもよい。さらには、これらくぼみ２２、あるいは突起の配置は、上下方向、すなわち縦方向に直線上に配置してもよいし、支柱１のまわりを取り巻くように、螺旋状に配置するようにしてもよい。
【００５３】
また、上述したカバー４の外部表面に撥水性塗料を塗布あるいはコーティングするようにしてもよい。撥水性塗料の塗布等によって、カバー４の外部表面に水滴などが付着せず、支柱１などへの荷重負荷を低減でき、カバー４自体の耐環境性を増すことができる。
【００５４】
ところで、上述したアンテナ装置では、カバー４の取り外しが可能であるが、そのままでは、いずれかの箇所に取り外したカバー４を掛けておく必要がある。
このため、図１１に示すように、蝶番３０を支持部材３の近傍に設け、各カバー４を開閉可能にし、カバー４の取り外し時における作業性を良くすることができる。このカバー４の開閉には、一方の支持部材３側のネジ１５を取り外すことによって行われる。したがって、図１１に示す方向とは逆方向の開閉も可能である。すなわち、左右の開閉が可能であり、一層作業性を良くすることができる。また、蝶番３０を分散的に配置するのではなく、図１２に示すように、カバー４自体を、軸４ａを中心に回動する蝶番構成にしてもよい。
【００５５】
【発明の効果】
以上説明したように、この請求項１の発明によれば、昇降用のステップボルト群が、柱状体の長手方向に沿って３列に配置されるとともに前記柱状体の軸中心から半径方向に延びるように柱状体に取り付けられ、各支持部材が、前記ステップボルト群の各列にそれぞれ固定され、各カバー部材が、前記支持部材にそれぞれ独立して直接支持され、この支持によって、隣接する支持部材間を覆うとともに、該ステップボルト群の各列間に画成されるアンテナ装置の収容空間の全面を覆うようにし、該柱状体に設置されるアンテナ装置を風雨や雪などの環境から保護するレドームとしての機能を持たせるようにしたので、アンテナエレメント形状、アンテナ取り付け半径、あるいはアンテナ取り付け面角度に関係なく、一種類のレドームでアンテナ装置の耐環境性を保持することができるという効果を奏する。また、各カバー部材は独立して支持部材に支持されるため、各カバー部材の接合によるカバー集合体構造に比して強度を高くすることができるという効果を奏する。さらに、各カバー部材は、隣接するカバー部材を相互に接合するフランジ部を有していないため、大きな突起部分が形成されず、風荷重や風雪量を低減できるとともに、メンテナンス作業時における容易性および安全性を確保することができるという効果を奏する。
【００５６】
また、請求項２の発明によれば、前記カバー部材は、前記柱状体を中心とし、断面が５以上の角数の多角形をなして、隣接する前記支持部材間を覆うようにしているので、前記柱状体に設置されるアンテナ装置の耐環境性を保持する汎用性の高いアンテナレドームを実現できるとともに、該アンテナレドームの外部表面に沿った空気の剥離点を最適化し、変動揚力の発生を低減できるという効果を奏する。
【００５７】
また、請求項３の発明によれば、前記カバー部材は、前記柱状体を中心とし、断面が円形をなして、隣接する前記支持部材間を覆うようにし、さらに、前記カバー部材の外部表面は、半球状あるいは断面形状が半円である帯状のくぼみ、もしくは突起を有し、前記くぼみ、もしくは突起は、前記外部表面に沿って直線上あるいは螺旋状に配置しているので、前記柱状体に設置されるアンテナ装置の耐環境性を保持する汎用性の高いアンテナレドームを実現できるとともに、該アンテナレドームの外部表面に沿った空気の剥離点を最適化し、変動揚力の発生を低減できるという効果を奏する。
【００５８】
また、請求項４の発明によれば、前記半球状あるいは断面形状が半円である帯状のくぼみ、もしくは突起の半径を０．５〜１０ｍｍとすることによって、可能な限り空気の剥離点を最適化し、変動揚力の発生を低減しているので、アンテナ装置およびその取付柱にかかる負荷を確実に低減することができるという効果を奏する。
【００５９】
また、請求項５の発明によれば、前記カバー部材の上端部および下端部にテーパ面の一部を形成し、かつ、前記支持部材の上端部および下端部にテーパ面を形成するような傾斜を設け、前記カバー部材の上端部および下端部、ならびに前記支持部材の上端部および下端部をそれぞれ接合させることによって、隣接する支持部材間を覆うようにしているので、アンテナ装置に対する鉛直上方から受ける風荷重や着雪量を低減するとともに、鉛直下方から受ける吹き上げの風雪による荷重を低減することができるという効果を奏する。
【００６０】
また、請求項６の発明によれば、前記カバー部材を開閉可能にし、メンテナンス作業時におけるカバー部材の落下を防止するとともに、作業の容易性を高めることができるという効果を奏する。
【００６１】
また、請求項７の発明によれば、前記ステップボルト群に取り付けられた前記支持部材の隣接角度は、９０〜１８０度の範囲としているので、アンテナエレメント形状、アンテナ取り付け半径、あるいはアンテナ取り付け面角度に関係なく、一種類のレドームでアンテナ装置の耐環境性を保持する汎用性の高いアンテナレドームを実現できるとともに、カバー部材全体の強度を高めることができるという効果を奏する。
【００６２】
また、請求項８の発明によれば、前記カバー部材の外部表面に撥水性塗料を塗布し、当該アンテナレドームの外部表面に雪や水滴などを付着させず、さらに流動抵抗も低減することができる場合があるので、一層アンテナ装置およびその取付柱にかかる負荷を低減することができるという効果を奏する。
【００６３】
また、請求項９の発明によれば、請求項１〜８のいずれか一つに記載のアンテナレドームによって覆うようにしているので、上述した請求項１〜８の作用効果を奏する。
【００６４】
また、請求項１０の発明によれば、請求項９に記載のアンテナ装置を備えるようにしているので、上述した請求項１〜９の作用効果を奏する。さらに、アンテナ装置に対する風荷重や着雪によってアンテナ設置用塔状構造物にかかる負荷が、不均一に分布し、あるいは一定箇所へ集中することを防止し、該塔状構造物を構成する部品の機械的強度劣化を抑制しているので、その疲労破壊あるいは応力腐食割れ等の発生を抑制し、さらに、長期的には該塔状構造物の傾斜を防止することができるという効果を奏する。
【図面の簡単な説明】
【図１】この発明の実施の形態であるアンテナレドームを有したアンテナ装置の構成を示す破断図である。
【図２】図１に示したアンテナ装置の上方平面からみた破断図である。
【図３】この発明の実施の形態であるアンテナレドームを構成するカバー部材の外観形状を示す模式図である。
【図４】図１に示したアンテナ装置のステップボルトと支持部材との接続関係を示す図である。
【図５】図４に示したステップボルトと支持部材との接続関係を上方平面からみた図である。
【図６】ステップボルトに対する支持部材の取付順序を示す図であり、（ｄ）は、Ａ−Ａ線断面図である。
【図７】ステップボルトに対するカバーの取付順序を示す図であり、（ｃ）は、Ｂ−Ｂ線断面図である。
【図８】カバーの形状の違いによる揚力係数の時間変化を示す図である。
【図９】カバーの外部表面にディンプルを設けた一例を示す図である。
【図１０】カバーの外部表面に帯状のくぼみを設けた一例を示す図である。
【図１１】蝶番を用いてカバーの開閉を可能にしたアンテナ装置の構造を示す破断図である。
【図１２】カバー自体を蝶番構成にしたアンテナ装置の一部構造を示す図である。
【図１３】従来のアンテナ装置の構造を示す破断図である。
【符号の説明】
１  支柱
２  ステップボルト
３  支持部材
４  カバー
５  反射板
６  アンテナエレメント
１１  ピース
１２，１３  ナット
１４，１５  ネジ
２１，２２  くぼみ
３０  蝶番
【図１】
2004172895.tif 000003
【図２】
2004172895.tif 000004
【図３】
2004172895.tif 000005
【図４】
2004172895.tif 000006
【図５】
2004172895.tif 000007
【図６】
2004172895.tif 000008
【図７】
2004172895.tif 000009
【図８】
2004172895.tif 000010
【図９】
2004172895.tif 000011
【図１０】
2004172895.tif 000012
【図１１】
2004172895.tif 000013
【図１２】
2004172895.tif 000014
【図１３】
2004172895.tif 000015